(57)【要約】【課題】ユーザの姿勢を正確に報知することができ、ユーザが姿勢の報知以外の機能を使用しながら、姿勢報知も受けることができる姿勢報知システムを提供すること。【解決手段】姿勢報知システム１０は、人体に取り付けられる姿勢検出ユニット２０、人体に携帯される携帯装置４０を有し、姿勢検出ユニット２０は、複数の位置の位置関係を検出する検出部２２ａ、２２ｂ、検出部２２ａ、２２ｂを人体または衣服に取り付けるための取付部７２ａ、７２ｂを備え、携帯装置４０は、画像生成処理及び音再生処理の少なくとも一方を含む所与のメイン処理を行う処理部４４を備え、処理部４４が、検出部２２ａ、２２ｂの検出結果に基いて人体の姿勢を報知する姿勢報知処理を行う。【選択図】図１
2010172537.tif 000002
【特許請求の範囲】
【請求項１】
人体の姿勢を検出して報知する姿勢報知システムであって、
前記人体に取り付けられる姿勢検出ユニット、
前記人体に携帯される携帯装置を有し、
前記姿勢検出ユニットは、複数の位置の位置関係を検出する検出部、前記検出部を人体または衣服に取り付けるための取付部を備え、
前記携帯装置は、画像生成処理及び音再生処理の少なくとも一方を含む所与のメイン処理を行う処理部を備え、
前記処理部が、前記検出部の検出結果に基いて前記人体の姿勢を報知する姿勢報知処理を行うことを特徴とする姿勢報知システム。
【請求項２】
前記処理部が、前記姿勢報知処理として、音、画像、振動の少なくとも一つを制御することを特徴とする請求項１に記載の姿勢報知システム。
【請求項３】
前記処理部が、前記姿勢報知処理を行う際に、前記メイン処理において生成される画像及び再生される音の少なくとも一つを変化させることを特徴とする請求項１〜２に記載の姿勢報知システム。
【請求項４】
前記処理部が、前記位置関係の初期値を設定する初期値設定処理、前記検出部の検出結果と前記初期値を比較する比較処理を行うことを特徴とする請求項１〜３に記載の姿勢報知システム。
【請求項５】
前記処理部が、前記検出部の検出結果の履歴に基いて前記姿勢報知処理を行うことを特徴とする請求項１〜３に記載の姿勢報知システム。
【請求項６】
前記検出部が、複数の検出体によって構成され、
人体の耳に装着される音出力装置と前記携帯装置を接続し前記携帯装置から前記音出力装置に音信号を送信するコードに前記複数の検出体が固定されることを特徴とする請求項１〜５に記載の姿勢報知システム。
【請求項７】
前記複数の検出体の少なくとも一つに、前記処理部に操作信号を入力するための操作部が備えられることを特徴とする請求項１〜６に記載の姿勢報知システム。
【請求項８】
人体の姿勢を検出して報知する姿勢報知システム用の姿勢検出ユニットであって、
複数の位置の位置関係を検出する検出部、
前記検出部を人体または衣服に取り付けるための取付部、
前記検出部の検出結果を、前記人体に携帯され、画像生成処理及び音再生処理の少なくとも一方を含む所与のメイン処理を行う処理部を備える携帯装置に、姿勢報知用の情報として出力する出力部を備えることを特徴とする姿勢検出ユニット。
【発明の詳細な説明】
【技術分野】
【０００１】
本発明は、姿勢報知システム及び姿勢検出ユニットに関する。
【背景技術】
【０００２】
従来より、帽子に取り付けられた傾きセンサによりユーザの姿勢を検出し、ユーザの姿勢が悪くなった場合に報知する器具が知られている（特許文献１）。
【特許文献１】特開２００７−１４７３８号公報
【発明の開示】
【発明が解決しようとする課題】
【０００３】
しかし、傾きセンサによって姿勢を検出する上記従来技術では、姿勢の検出が不正確であるという問題があった。
【０００４】
また、上記従来技術は、ユーザに使用する動機付けを与えることが難しかった。ユーザは姿勢の報知という目的だけのために、わざわざセンサ付き帽子をかぶらなければならなかったからである。
【０００５】
本発明の目的は、ユーザが姿勢の報知以外の機能を使用しながら、姿勢報知も受けることができる姿勢報知システムを提供することである。
【０００６】
また、本発明の他の目的は、ユーザの姿勢を正確に報知することができる姿勢報知システムを提供することである。
【課題を解決するための手段】
【０００７】
（１）本発明は、人体の姿勢を検出して報知する姿勢報知システムであって、前記人体に取り付けられる姿勢検出ユニット、前記人体に携帯される携帯装置を有し、前記姿勢検出ユニットは、複数の位置の位置関係を検出する検出部、前記検出部を人体または衣服に取り付けるための取付部を備え、前記携帯装置は、画像生成処理及び音再生処理の少なくとも一方を含む所与のメイン処理を行う処理部を備え、前記処理部が、前記検出部の検出結果に基いて前記人体の姿勢を報知する姿勢報知処理を行うことを特徴とする姿勢報知システムに関係する。
【０００８】
本発明によれば、複数の位置の位置関係に基づいて人体の姿勢が報知されるので、正確な姿勢の報知が可能になる。また、ユーザは、携帯装置のメイン処理の機能を使用しながら姿勢報知を受けることができる。
【０００９】
（２）また、本発明に係る姿勢報知システムは、前記処理部が、前記姿勢報知処理として、音、映像、振動の少なくとも一つを制御するようにしてもよい。
【００１０】
このようにすれば、ユーザに感覚的に姿勢の報知を行うことができる。
【００１１】
（３）また、本発明に係る姿勢報知システムは、前記処理部が、前記姿勢報知処理を行う際に、前記メイン処理において生成される画像及び再生される音の少なくとも一つを変化させるようにしてもよい。
【００１２】
このようにすれば、携帯装置が備えている機能を利用して姿勢の報知が可能となる。
【００１３】
（４）また、本発明に係る姿勢報知システムは、前記処理部が、前記位置関係の初期値を設定する初期値設定処理、前記検出部の検出結果と前記初期値を比較する比較処理を行うようにしてもよい。
【００１４】
このようにすれば、ユーザは自分の理想とする姿勢で初期値を設定し、理想とする姿勢が保持できているかどうかを知ることができる。
【００１５】
（５）また、本発明に係る姿勢報知システムは、前記処理部が、前記検出部の検出結果の履歴に基いて前記姿勢報知処理を行うようにしてもよい。
【００１６】
このようにすれば、ユーザは一定期間における姿勢の状況を知ることができる。
【００１７】
（６）また、本発明に係る姿勢報知システムは、前記検出部が、複数の検出体によって構成され、人体の耳に装着される音出力装置と前記携帯装置を接続し前記携帯装置から前記音出力装置に音信号を送信するコードに前記複数の検出体が固定されるようにしてもよい。
【００１８】
このようにすれば、ユーザに邪魔にならない位置に検出体を固定することができる。また、ユーザが携帯装置をズボンのポケットに入れて使用する場合に、ユーザの腰と胸の付近を通るコードに検出体が固定されることができ、ユーザの腰や背中の曲がり具合を報知することが可能になる。
【００１９】
（７）また、本発明に係る姿勢報知システムは、前記複数の検出体の少なくとも一つに、前記処理部に操作信号を入力するための操作部が備えられるようにしてもよい。
【００２０】
このようにすれば、操作部と検出体を別に設ける必要がなくなり、ユーザが姿勢検出ユニットを邪魔に感じるのを防ぐことができる。
【００２１】
（８）また、本発明は、人体の姿勢を検出して報知する姿勢報知システム用の姿勢検出ユニットであって、複数の位置の位置関係を検出する検出部、前記検出部を人体または衣服に取り付けるための取付部、前記検出部の検出結果を、前記人体に携帯され、画像生成処理及び音再生処理の少なくとも一方を含む所与のメイン処理を行う処理部を備える携帯装置に、姿勢報知用の情報として出力する出力部を備えることを特徴とする姿勢検出ユニットに関係する。
【００２２】
本発明によれば、複数の位置の位置関係に基づいて人体の姿勢が報知されるので、正確な姿勢の報知が可能になる。また、メイン処理を行う携帯装置に本発明の姿勢検出ユニットを接続することで、ユーザは、携帯装置のメイン処理の機能を使用しながら姿勢報知を受けることができるようになる。
【発明を実施するための最良の形態】
【００２３】
１．第１の実施形態
図１〜図７を用いて第１の実施形態について説明する。
【００２４】
１−１．外観構成
図１に第１の実施形態の姿勢報知システムの外観構成を示す。図１に示すように、第１の実施形態の姿勢報知システム１０は、姿勢検出ユニット２０、携帯装置４０から構成される。
【００２５】
携帯装置４０は、ユーザが片手で把持したり、ポケットに入れたりすることのできるサイズの携帯ゲーム装置である。ユーザはボタン５２や十字ボタン５３を操作することによって、液晶ディスプレイ５０に表示されるゲームの操作を行う。また、携帯装置４０は音楽再生装置としても機能する。携帯装置４０内部のメモリには音楽データが格納され、液晶ディスプレイ５０にはメモリに格納された音楽データの曲名が表示される。ユーザはボタン５２や十字ボタン５３を操作することによって液晶ディスプレイ５０に表示された曲名から再生すべき曲を選択する。曲が選択されると、携帯装置４０は選択された曲を再生する。
【００２６】
携帯装置４０は、単独で音楽再生装置としての機能を実現できる。即ち、イヤホン６０（音出力装置の一例）を携帯装置４０に接続すれば、携帯装置４０によって再生された音楽がイヤホン６０から出力される。第１の実施形態では、この携帯装置４０に姿勢検出ユニット２０を接続することによって、音楽再生装置としての機能に加えて姿勢報知機能をも実現する姿勢報知システムが構築される。
【００２７】
姿勢検出ユニット２０はコード２４を有し、このコード２４上に第１の検出体２２ａ、第２の検出体２２ｂが設けられる。第１の検出体２２ａにはイヤホンジャック２５が設けられ、このイヤホンジャック２５にイヤホン６０のプラグが差し込まれる。またコード２４の端部には第２の接続部２８が設けられ、第２の接続部２８は携帯装置４０の第１の接続部５４と接続することが可能である。このように、姿勢検出ユニット２０を介してイヤホン６０と携帯装置４０が接続され、携帯装置４０で再生された音楽がイヤホン６０から出力される。
【００２８】
第１の検出体２２ａ、第２の検出体２２ｂは、両者の間の位置関係を検出する検出部として機能する。また、第１の検出体２２ａと第２の検出体２２ｂの間の距離は約３０ｃｍであり、ユーザがイヤホン６０を耳に装着し携帯装置４０をズボンのポケットに入れると、第１の検出体２２ａがユーザの胸の付近に、第２の検出体２２ｂがユーザの腰の付近に来るようになる。従って、第１の検出体２２ａと第２の検出体２２ｂによる検出結果に基づいて、ユーザの胸と腰の間の距離を測定することが可能になる。詳細には、第１の検出体２２ａと第２の検出体２２ｂによる検出結果はコード２４によって携帯装置４０に出力され、携帯装置４０が検出結果に基づいて両者の間の距離を算出する。そして、携帯装置４０は算出された距離に基づいてユーザの姿勢を判定し、判定結果に基づいて音声をイヤホン６０から出力させ、ユーザに姿勢を報知する。
【００２９】
さらに、第１の検出体２２ａには、リモコン２６が設けられ、リモコンによる操作信号はコード２４によって携帯装置４０に出力される。また、第２の検出体２２ｂには、姿勢検出ユニット２０に検出部としての機能を開始させるためのスタート／エンドボタン２７が設けられる。
【００３０】
１−２．着用方法
図２は第１の実施形態の姿勢報知システム１０の着用方法の一例を示す図である。図２は、ユーザが第１の検出体２２ａを衣服の胸の付近に、第２の検出体２２ｂを衣服の腰の付近に取り付け、携帯装置４０をズボンのポケットに入れた状態を示している。
【００３１】
姿勢検出ユニット１０の衣服への取り付けは、第１の検出体２２ａ及び第２の検出体２２ｂに設けられた取付部によって行われる。図３に示すように、第１の検出体２２ａ及び第２の検出体２２ｂには、姿勢検出ユニットを衣服に取り付けるためのクリップ７２ａ、７２ｂ（取付部の一例）が設けられている。
【００３２】
上記の通り、携帯装置４０は音楽再生装置として機能する。また、携帯装置４０は２つに折りたたむことができ、折りたたんだ状態でズボンのポケットに収まるサイズとなる。携帯装置４０をズボンのポケットに入れて使用する場合、携帯装置４０とイヤホン６０を繋ぐコードがユーザの腰と胸の付近を通ることになる。図２は、このコードを姿勢検出ユニット２０で置き換えた形になっている。従って、ユーザは姿勢検出ユニット２０を邪魔に感じることなく身に付けることができる。そしてユーザは、音楽を聴きながら姿勢検出を行うことができる。
【００３３】
図２（ａ）は、姿勢検出ユニット２０を取り付けたユーザが背筋を伸ばした状態を示している。この状態でユーザがスタート／エンドボタン２７を押下すると、第１の検出体２２ａと第２の検出体２２ｂによる検出結果が携帯装置４０に出力され、検出結果に基づいて携帯装置４０によって第１の検出体２２ａと第２の検出体２２ｂの間の距離が算出される。そして、算出された距離が初期値として携帯装置４０に記憶される。
【００３４】
初期値が記憶された後、図２（ｂ）に示すようにユーザが前かがみになると、図２（ａ）の状態と比べて第１の検出体２２ａと第２の検出体２２ｂの間の距離が短くなる。初期値設定後に算出された第１の検出体２２ａと第２の検出体２２ｂの距離（以下、初期値設定後距離）が、初期値として設定された距離より短くなると、携帯装置４０によってユーザの姿勢が悪くなったと判定される。
【００３５】
尚、一定時間以下の、意図的な前かがみであれば、姿勢が悪くなったと検出しないようにしてもよい。具体的には、一定時間以上、センサ間の距離が短くなることで初めて姿勢が悪くなったと判定するようにしてもよい。
【００３６】
１−３．姿勢報知
ユーザの姿勢が悪くなったと判定されると、携帯装置４０によってその旨が報知される。具体的には、携帯装置４０で現在再生中の音楽が一時中断され、姿勢が悪くなったことを報知するメッセージが再生される。
【００３７】
携帯装置４０には複数のメッセージが記憶されており、ユーザの姿勢の悪さの程度に応じたメッセージが選択されて再生される。具体的には、初期値設定後距離と初期値として設定された距離の差分に応じたメッセージが選択される。例えば、「姿勢が悪くなっています。」という基本メッセージが記憶されており、これに姿勢の悪さの程度に応じて言葉を追加するようにしてもよい。即ち、姿勢の悪さの程度が小さい場合には「少し姿勢が悪くなっています。」というメッセージを再生し、姿勢の悪さの程度が大きい場合には「とても姿勢がわるくなっています。」というメッセージを再生する。
【００３８】
また、ユーザの姿勢が悪くなったと判定されると再生中の音楽の再生状況が変更されるようにしてもよい。具体的には、初期値設定後距離と初期値として設定された距離との差分が大きいほど再生中の音楽の再生速度が遅くなったり、再生音量が小さくなったり、高音または低音が聞こえにくくなったりするようにしてもよい。
【００３９】
さらに、携帯装置４０には、第１の検出体２２ａと第２の検出体２２ｂの距離の履歴が蓄積され、当該履歴に基づいて姿勢の報知が行われる。例えば、初期値設定後距離と初期値として設定された距離の差分が所定以下である状態が一定期間継続した場合、良い姿勢をキープできていることを報知するメッセージが再生される。また、逆に、初期値設定後距離と初期値として設定された距離の差分が所定以上である状態が一定期間継続した場合、悪い姿勢が続いていることを報知するメッセージが再生される。
【００４０】
上記の姿勢を報知するメッセージは、音楽プレイヤーで再生される音楽と同様にイヤホン６０から出力される。従って、ユーザは音楽を聴きながら姿勢の報知を受けることができる。
【００４１】
また、携帯装置４０の液晶ディスプレイ５０には、姿勢を報知する情報が表示される。例えばユーザの姿勢が悪くなったと判定されると、表示部４９にその旨を報知するメッセージが表示される。また、表示部４９にキャラクタの画像が表示され、第１の検出体２２ａと第２の検出体２２ｂの距離によって当該キャラクタの姿勢が変化する。また、液晶ディスプレイ５０には、第１の検出体２２ａと第２の検出体２２ｂの距離の履歴に基づいて、ユーザの姿勢変化の履歴がグラフ等で表示される。図４は液晶ディスプレイ５０に表示されるグラフの一例である。図４のグラフの横軸は時間、縦軸は第１の検出体２２ａと第２の検出体２２ｂの距離と初期値として設定された距離の差分を表している。このグラフによって、一日の姿勢変化の状況を見ることができる。
【００４２】
１−４．処理の流れ
図５を用いて、第１の実施形態の処理の流れを説明する。
【００４３】
姿勢報知システム１０は、まず姿勢検出ユニット２０のスタート／エンドボタン２７が押下されたか否かを検出する（ステップＳ１０）。そして、姿勢検出ユニット２０のスタート／エンドボタン２７が押下された場合（ステップＳ１０:Ｙ）、姿勢報知システム１０は姿勢検出ユニット２０の検出結果に基づいて算出した距離を初期値として携帯装置４０に記憶する初期値設定処理を行う（ステップＳ１２）。
【００４４】
次に、姿勢報知システム１０は、初期値設定後距離と初期値として設定された距離との差分が所定以上か否かを判定する（ステップＳ１４。そして、差分が所定以上だと判定した場合（ステップＳ１４：Ｙ）、姿勢報知システム１０は姿勢が悪くなっていることを報知するための姿勢報知処理を行う（ステップＳ１６）。
【００４５】
初期値設定後距離と初期値として設定された距離との差分が所定未満だと判定した場合（ステップＳ１４：Ｎ）、姿勢報知システム１０は、差分が所定未満である状態が一定期間継続しているか否かを判定する（ステップＳ１８。そして、差分が所定未満である状態が一定期間継続していると判定した場合（ステップＳ１８：Ｙ）、姿勢報知システム１０は良い姿勢が続いていることを報知するための姿勢報知処理を行う（ステップＳ２０）。
【００４６】
次に、姿勢報知システム１０は、スタート／エンドボタン２７が再度押下されたか否かを判定する（ステップＳ２２）。そして、スタート／エンドボタン２７が再度押下されたと判定した場合（ステップＳ２２：Ｙ）、姿勢報知システム１０は姿勢報知処理を終了する。一方、スタート／エンドボタン２７が再度押下されていない場合（ステップＳ２２：Ｎ）、姿勢報知システム１０は、ステップＳ１４〜ステップＳ２２を繰り返す。
【００４７】
１−５．機能ブロック
図６、図７を用いて携帯装置４０と姿勢検出ユニット２０の機能について説明する。
【００４８】
まず、図６を用いて、姿勢検出ユニット２０の機能について説明する。第１の検出体２２ａ、第２の検出体２２ｂは、複数の位置の位置関係を検出する検出部として機能する。センシング機構としては、例えば無線ＩＣタグ等の電波センサが用いられる。図６はＩＣタグを用いたセンシング機構のブロック図である。図６に示すように、第１の検出体２２ａにＩＣタグ３０が、第２の検出体２２ｂにＩＣタグのリーダ３２が設けられる。このＩＣタグ３０にはアンテナ３４ａが、リーダ３２にはアンテナ３４ｂが備えられている。そして、第２の検出体２２ｂに設けられたスタート／エンドボタン２７が押下されると、このアンテナ３４ａ、３４ｂを介してＩＣタグ３０とリーダ３２は電波の送受信を開始する。そして、リーダ３２に設けられた電波強度検出部３８が電波強度を検出し、出力部３９が検出結果を携帯装置４０に出力する。その後、電波強度検出部３８はスタート／エンドボタン２７が再度押下されるまで定期的に電波強度を検出し、出力部３９は検出結果を携帯装置４０に出力する。
【００４９】
次に、図７を用いて携帯装置４０の機能について説明する。図７は、携帯装置４０のブロック図である。携帯装置４０は、記憶部４２、情報記憶媒体４３、処理部４４、第１の通信部４６、第２の通信部４７、操作部４８、表示部４９を備える。
【００５０】
操作部４８は携帯装置４０を操作するためのもので、その機能はボタンやタッチパネル等により実現される。特に第１の実施形態では、操作部４８の機能は図１に示すボタン５２や十字ボタン５３により実現される。
【００５１】
表示部４９は、画像を表示するためのものであり、その機能は液晶ディスプレイ、有機ＥＬディスプレイ、これらのディスプレイと接触位置を検出するタッチパネルとが積層された構造を有するタッチパネルディスプレイ等により実現される。特に第１の実施形態では、表示部４９の機能は図１に示す液晶ディスプレイ５０により実現される。
【００５２】
記憶部４２は、処理部４４や第１の通信部４６などのワーク領域となるもので、その機能はＲＡＭやＶＲＡＭなどにより実現できる。
【００５３】
情報記憶媒体４３（コンピュータにより読み取り可能な媒体）は、プログラムやデータなどを格納するものであり、その機能は、メモリカード、光ディスク（ＣＤ、ＤＶＤ）、光磁気ディスク（ＭＯ）、磁気ディスク、ハードディスク、半導体メモリ、磁気テープなどにより実現できる。情報記憶媒体４３には、処理部４４において種々の処理を行うためのプログラムやデータが記憶されている。また、情報記憶媒体４３には、音楽データ、映像データ、ゲームデータ等の処理部４４の処理に必要なデータが記憶される。
【００５４】
処理部４４（プロセッサ）は、操作部４８や図６の操作信号出力部３７からの操作信号、あるいはプログラムなどに基づいて、所与のメイン処理（音楽再生処理、映像再生処理、画像生成処理等）を行う。処理部４４は、記憶部４２をワーク領域として各種処理を行い、その機能は各種プロセッサ（ＣＰＵ、ＤＳＰ等）、各種集積回路（ＩＣ、ＡＳＩＣ）などのハードウェアや、プログラムにより実現できる。
【００５５】
携帯装置４０に出力部３９から検出結果が送られると、処理部４４は、検出結果に基づき姿勢報知処理を行う。特に、第１の実施形態では、処理部４４は、出力部３９から出力された電波強度に基づいて第１の検出体２２ａと第２の検出体２２ｂの距離を算出し、算出した距離に基づいて姿勢報知処理を行う。姿勢報知処理として、処理部４４は表示部４９やイヤホン６０に姿勢報知出力を行わせる。
【００５６】
処理部４４は詳細には、スタート／エンドボタン２７の押下直後に算出された第１の検出体２２ａと第２の検出体２２ｂの距離を初期値として記憶部４２に記憶する初期値設定処理を行う。その後、処理部４４は、初期値設定後に電波強度に基づいて算出した距離（初期値設定後距離）と初期値として設定された距離を比較する比較処理を行う。
【００５７】
処理部４４はまた、リモコン２６や操作部４８によって生成された操作信号に基づいてメイン処理を行う。
【００５８】
第１の通信部４６は、外部（例えばサーバや他の携帯端末）との間で通信を行うための各種制御を行うものであり、その機能は、各種プロセッサ又は通信用の集積回路（ＡＳＩＣ）などのハードウェアや、プログラムなどにより実現できる。
【００５９】
第２の通信部４７は、無線で近距離通信を行うための各種制御を行うものであり、その機能は、赤外線送受信ユニット、Ｂｌｕｅｔｏｏｔｈユニット等により実現できる。
【００６０】
２．第２の実施形態
図８、図９を用いて第２の実施形態について説明する。尚、第１の実施形態と共通する部分については説明を省略する。
【００６１】
２−１．外観構成および着用方法
図８に第２の実施形態の姿勢報知システムの外観構成を示す。図８に示すとおり、第２の実施形態の姿勢検出ユニット８０は、携帯装置４０に接続されるイヤホンのコード８３から分離可能となっている。これにより、第２の実施形態の姿勢検出ユニットは、ユーザの体の任意の位置に取り付けることが可能となっている。
【００６２】
図９は、第１の検出体８２ａ、第２の検出体８２ｂに設けられた取付部を示す図である。図９に示す通り、第１の検出体８２ａには衣服に取り付けるためのクリップ８６ａが、第２の検出体８２ｂには同じく衣服に取り付けるためのクリップ８６ｂが設けられている。
【００６３】
さらに、第１の検出体８２ａには第１の検出体８２ａをコード８３に取り付けるためのコード取付部８８ａが、第２の検出体８２ｂには第２の検出体８２ｂをコード８３に取り付けるためのコード取付部８８ｂが設けられている。このコード取付部８８ａ、８８ｂにより、ユーザは衣服に取り付けた第１の検出体８２ａ、第２の検出体８２ｂにコード８３を取り付けることができるので、コード８３が衣服から離れて動き回って邪魔になるのを防ぐことができる。また、ユーザはコード８３の任意の位置に第１の検出体８２ａ及び第２の検出体８２ｂを取り付けることができる。例えば、第１の検出体８２ａ及び第２の検出体８２ｂの一方を耳の付近に取り付ければ、ユーザの頭の動きも検出することができる。
【００６４】
２−２．機能ブロック
姿勢検出ユニット８０を構成する第１の検出体８２ａと第２の検出体８２ｂのブロック図は、図６に示すものと同様である。第１の実施形態と同様に、第１の検出体８２ａに設けられたＩＣタグ３０と、第２の姿勢検出部８２ｂに設けられたリーダ３２が電波の送受信を行い、電波強度検出部３８が電波強度を検出する。
【００６５】
そして、第２の実施形態では、第２の検出体８２ｂに設けられた出力部３９が、検出された電波強度を無線（例えば赤外線）で携帯装置４０の第２の通信部４７に送信する。これにより、第１の検出体８２ａ、第２の検出体８２ｂをコード８３に接続しなくても、検出結果を処理装置４０に出力することが可能になる。処理部４４は、第２の通信部４７で受信した電波強度に基づいて第１の検出体８２ａと第２の検出体８２ｂの距離を算出する。そして、処理部４４は、第１の実施形態と同様に、算出した距離に基づいて姿勢報知処理を行う。
【００６６】
また、第２の実施形態では、操作信号出力部３７が、第１の検出体８２ａに設けられたリモコン８４による操作信号を、無線で携帯装置４０の第２の通信部４７に送信する。これにより、第１の検出体８２ａ、第２の検出体８２ｂをコード８３に接続しなくても、操作信号を処理装置４０に出力することが可能になる。そして処理部４４は、第２の通信部４７で受信した操作信号に基づき、所与のメイン処理（音楽再生処理、映像再生処理、画像生成処理等）を行う。携帯装置４０のその他の機能については、第１の実施形態と同様である。
３．第３の実施形態
図１０、図１１を用いて第３の実施形態について説明する。尚、第１、第２の実施形態と共通する部分については説明を省略する。
【００６７】
図１０に第３の実施形態の姿勢報知システムの外観構成を示す。図１０に示すとおり、第３の実施形態は、携帯装置４０とイヤホン６０を結ぶコードの無い構成である。
【００６８】
図１１は、姿勢検出ユニット９０を構成する第１の検出体９２ａと第２の検出体９２ｂのブロック図である。図１１に示すＩＣタグ１００の機能は図６に示すＩＣタグ３０の機能と同一である。また、図１１に示すリーダ１０２の機能は図６に示すリーダ３２の機能と同様である。第１の実施形態と同様に、第１の検出体９２ａに設けられたＩＣタグ１００と、第２の姿勢検出部９２ｂに設けられたリーダ１０２が電波の送受信を行い、電波強度検出部１０８が電波強度を検出する。
【００６９】
そして、第２の実施形態と同様に、第２の検出体９２ｂに設けられた出力部１０９が、検出された電波強度を無線で携帯装置４０の第２の通信部４７に送信する。処理部４４は、第２の通信部４７で受信した電波強度に基づいて第１の検出体９２ａと第２の検出体９２ｂの距離を算出する。そして、処理部４４は、第１の実施形態と同様に、算出した距離に基づいて姿勢報知処理を行う。
【００７０】
さらに、第３の実施形態の第１の検出体９２ａは、第３の通信部１０７を有する。そしてこの第３の通信部１０７が、第１の検出体９２ａに設けられた操作部９４による入力を、無線で携帯装置４０の第２の通信部４７に送信する。そして処理部４４は、第２の通信部４７で受信した操作信号に基づき、所与のメイン処理（音楽再生処理、映像再生処理、画像生成処理等）を行う。
【００７１】
また、第３の実施形態では、携帯装置４０は、処理部４４によるメイン処理及び姿勢報知処理の少なくとも一方の結果を音信号として第２の通信部４７から第３の通信部１０７に無線で送信する。これにより、コード無しで携帯装置４０の処理結果をイヤホン６０から出力することが可能になる。第３の通信部１０７は、受信した音信号をイヤホン６０から出力させる。携帯装置４０のその他の機能については、第１の実施形態と同様である。
【００７２】
４．変形例
４−１．センシング機構
上記実施形態ではセンシング機構として無線ＩＣタグによる電波センサを用いる例について説明したが、センシング機構はこれに限られず、例えば赤外線センサ、超音波センサ、磁気センサ、歪みセンサ、加速度センサ等を用いることもできる。
【００７３】
センシング機構に赤外線センサを用いる場合、例えば図１の第１の検出体２２ａに赤外線発光素子を、第２の検出体２２ｂに赤外線受光素子を設ける。そして、第２の検出体２２ｂは、受光素子が受光した光量値を処理部４４に出力する。処理部４４は、出力された光量値に基づいて第１の検出体２２ａと第２の検出体２２ｂの距離を算出する。
【００７４】
センシング機構に超音波センサを用いる場合、例えば図１の第１の検出体２２ａに超音波送信部、第２の検出体２２ｂに超音波受信部が設けられる。そして、時間計測部が超音波が送信されてから受信されるまでの時間を計測し、計測した時間を出力する。処理部４４は出力された時間に基づいて、第１の検出体２２ａと第２の検出体２２ｂの間の距離を算出する。
【００７５】
センシング機構に磁気センサを用いる場合、例えば図１の第１の検出体２２ａに磁性体が、第２の検出体２２ｂに検出コイルが設けられる。そして、電流検出部が、第１の検出体２２ａと第２の検出体２２ｂが接近することによって検出コイルに流れる電流値を計測し、検出した電流値を出力する。処理部４４は出力された電流値に基づいて、第１の検出体２２ａと第２の検出体２２ｂの間の距離を算出する。
【００７６】
センシング機構に歪みセンサを用いる場合、例えば図１の第１の検出体２２ａ及び第２の検出体２２ｂの少なくとも一方に抵抗検出センサが設けられる。そしてこの抵抗検出センサがコード２４の電気抵抗を検出する。この場合、電気抵抗の検出は、第１の検出体２２ａと第２の検出体２２ｂの間の区間（人体または衣服への取り付け個所の間の区間）について行うようにしてもよい。このようにすれば、人体または衣服における所定位置の間のコードの歪みを検出することができ、姿勢をより正確に検出することができる。この場合、検出された電気抵抗に基づいて処理部４４がコード２４の歪みを判定し、第１の検出体２２ａと第２の検出体２２ｂの間の距離を算出する。
【００７７】
センシング機構に加速度センサを用いる場合、例えば図１の第１の検出体２２ａ、第２の検出体２２ｂにそれぞれ加速度センサが設けられ、処理部４４は、この２つの加速度センサによる検出値の差分に基づいて、第１の検出体２２ａ、第２の検出体２２ｂの距離を算出する。例えば第１の検出体２２ａが前方に動き、第２の検出体２２ｂが動いていない場合には、処理部４４は、ユーザが前かがみになったことを報知するための姿勢報知処理を行う。
【００７８】
４−２．初期値設定処理
上記実施形態では、姿勢検出ユニット２０のスタート／エンドボタン２７が押されたときに、処理部４４が姿勢検出ユニット２０の検出結果に基づいて第１の検出体２２ａと第２の検出体２２ｂの距離を算出して初期値を記憶する例を説明したが、初期値設定処理の態様はこれに限られない。
【００７９】
例えば初期値設定処理のタイミングはスタート／エンドボタン２７の押下時でなくともよく、ユーザが携帯装置４０の操作部４８を用いて所与の初期値設定入力を行った時としてもよい。この場合、処理部４４は、表示部４９に初期値設定のための画像を表示させ、ユーザが当該画像を見ながら初期値設定入力を行えるようにしてもよい。
【００８０】
また、初期値として、距離ではなく検出ユニット２０の検出結果（例えば電波強度）そのものを記憶してもよい。この場合、処理部４４は比較処理として距離を比較するのではなく、電波強度を比較する。
【００８１】
４−３．着用方法
上記実施形態では、第１の検出体を胸の付近に、第２の検出体を腰の付近に取り付ける例について説明したが、検出部の取り付け位置はこれに限られない。
【００８２】
例えば、２つの検出部を両肩に取り付けてもよい。この場合、ユーザが肩をすぼめることによって２つの検出部の距離が近づくと、処理部４４はユーザの姿勢が悪くなったことを報知するための姿勢報知処理を行う。
【００８３】
また、複数の検出部を背中に取り付けてもよい。この場合、ユーザが背中を丸めることによって検出部の間の距離が近づくと、処理部４４はユーザの姿勢が悪くなったことを報知するための姿勢報知処理を行う。
【００８４】
また、検出部の一つを頭（帽子）に、他の検出部を胴体に取り付けてもよい。このようにすれば、ユーザが顎を突き出したり背中を丸めたりして検出部の間の距離が近づくと、処理部４４はユーザの姿勢が悪くなったことを報知するための姿勢報知処理を行う。
【００８５】
尚、第１の実施形態では、第１の検出体２２ａと第２の検出体２２ｂの間の距離が約３０ｃｍである例を説明したが、この距離は上記着用態様に応じたものにすることができる。また、ユーザの体型によってこの距離を調節可能にすることができる。
【００８６】
４−４．メイン処理と姿勢報知処理
上記実施形態では、処理部４４がメイン処理として音楽再生処理を行い、姿勢報知処理として再生音を停止、変化させたり、他の音声を再生したりする例を説明したが、メイン処理、姿勢報知処理はこれに限られない。
【００８７】
例えば、携帯装置４０がゲーム装置であってもよく、この場合処理部４４は、メイン処理としてゲームの実行処理を行う。また、携帯装置４０が携帯電話であってもよく、この場合、処理部４４はメイン処理として通話処理を行う。
【００８８】
例えば、処理部４４が、メイン処理としてゲームの実行処理を行う場合、姿勢報知処理として当該ゲームのパラメータを変化させてもよい。具体的には、処理部４４がメイン処理としてアクションゲームを実行し、検出ユニットの検出結果に応じて当該アクションゲームのキャラクタの移動パラメータを変化させてもよい。この場合、処理部４４は、検出ユニットの検出結果によってユーザの姿勢が悪くなったと判定した場合は、キャラクタの移動速度が下がったり、ジャンプ能力が低くなったりするように、キャラクタの移動パラメータを変化させる。あるいは、処理部４４は、検出ユニットの検出結果によってユーザの姿勢が悪くなったと判定した場合は、ユーザの操作入力通りにキャラクタが動かなくなるように、操作入力とキャラクタの移動の対応関係を変化させる。
【００８９】
また、処理部４４がメイン処理としてロールプレイングゲームを実行し、姿勢報知処理として当該ロールプレイングゲームのキャラクタの能力パラメータを変化させてもよい。この場合、処理部４４は、検出ユニットの検出結果によってユーザの姿勢が悪くなったと判定した場合は、キャラクタの攻撃力や防御力が下がるように、キャラクタの能力パラメータを変化させる。
【００９０】
また、処理部４４が、姿勢報知処理としてゲームの難易度を変化させるようにしてもよい。この場合、処理部４４は、メイン処理として例えば画面上方から下方に自動で移動するブロックをユーザが移動、回転させて積み上げるいわゆる落ち物パズルゲームを実行し、検出ユニットの検出結果によってユーザの姿勢が悪くなったと判定した場合は、ブロックの自動落下の速度を早くして難易度を上げる処理を行う。
【００９１】
また、処理部４４がメイン処理として三次元空間を仮想カメラから見た画像を生成し、姿勢報知処理として当該仮想カメラのパラメータを変化させるようにしてもよい。この場合、処理部４４は、検出ユニットの検出結果によってユーザの姿勢が悪くなったと判定した場合は、仮想カメラの視野（画角）を狭くする。あるいは、処理部４４は、検出ユニットの検出結果によって仮想カメラの位置や向きを変更する。
【００９２】
また、処理部４４が、検出ユニットの検出結果の履歴に基づいてゲームパラメータを変化させるようにしてもよい。例えば、処理部４４が、検出ユニットの検出結果に基づいてユーザが良い姿勢を一定期間継続していると判定した場合に、ゲーム中で特定のアイテムを入手できるようにしてもよい。あるいは、所定期間の検出結果の履歴に応じてシナリオを変化させてもよい。
【００９３】
また、処理部４４が、メイン処理として通話処理を行う場合、姿勢報知処理として通話中に音声で姿勢情報を報知するようにしてもよい。
【００９４】
また、処理部４４が、報知処理として振動制御を行ってもよい。この場合、処理部４４は検出ユニットの検出結果に基いて、携帯装置４０又は検出体に設けられたモーターを回転させて振動を発生させることにより、ユーザに姿勢の変化を報知するようにしてもよい。
【００９５】
４−５．携帯装置
上記実施形態では、姿勢検出ユニット２０とは別の携帯装置４０に処理部４４が設けられる例について説明したが、姿勢検出ユニットと携帯装置が一体となっていてもよい。例えば、複数の検出体の少なくとも一つが携帯装置に設けられるようにしてもよい。このようにすれば、姿勢検出ユニットと携帯装置を別に用意する必要なく、単体でメイン処理及び姿勢検出ができる姿勢報知システムが実現できる。
【００９６】
また、携帯装置４０にタイマー部を設け、タイマー部の計時に基づいて処理部４４が姿勢報知処理を行うようにしてもよい。例えば、朝の時間帯には、「おはようございます。今日もよい姿勢で一日を過ごしましょう。」といった音声が出力されるようにしてもよい。
【００９７】
また、姿勢を報知するためのメッセージを第１の通信部４６を介してサーバや他の携帯端末から受信し、情報記憶媒体に格納するようにしてもよい。このようにすれば、随時新たなメッセージを追加することができユーザが飽きてしまうのを防ぐことができる。
【００９８】
また、姿勢報知処理を行うプログラムが携帯装置４０とは別に提供され、携帯装置４０に姿勢報知処理を行うプログラムをインストールするようにしてもよい。この場合、姿勢報知を行うプログラムはＣＤ−ＲＯＭ等の外部情報記憶媒体に記憶されて提供され、コンピュータ経由で携帯装置４０にインストールされる。または、第１の通信部４６を介してネットワーク経由でインストールされる。このようにすれば、携帯装置４０が元々姿勢報知処理を行う機能を有していない場合でも、プログラムをインストールすることによって姿勢報知処理を行うことができるようになる。
【図面の簡単な説明】
【００９９】
【図１】第１の実施形態の姿勢報知システムの概観。
【図２】第１の実施形態の姿勢報知システムの着用例。
【図３】第１の実施形態の検出体の外観。
【図４】第１の実施形態の姿勢報知表示の一例。
【図５】第１の実施形態の処理の流れを示すフローチャート。
【図６】第１の実施形態、第２の実施形態の姿勢検出ユニットのブロック図。
【図７】第１〜第３の実施形態の携帯装置のブロック図。
【図８】第２の実施形態の姿勢報知システムの概観。
【図９】第２の実施形態の検出体の外観。
【図１０】第３の実施形態の姿勢報知システムの概観。
【図１１】第３の実施形態の姿勢検出ユニットのブロック図。
【符号の説明】
【０１００】
１０  姿勢報知システム、
２０  姿勢検出ユニット、２２ａ  第１の検出体、２２ｂ  第２の検出体、２４  コード、
２５  イヤホンジャック、２６  リモコン、２７  スタート／エンドボタン、
２８  第２の接続部、
３０、ＩＣタグ、３２  リーダ、３４ａ  アンテナ、３４ｂ  アンテナ、
３６  ＩＣチップ、３７  操作信号出力部、３８  電波強度検出部、３９  出力部、
４０  携帯装置、４２  記憶部、４３  情報記憶媒体、４４  処理部、
４６  第１の通信部、４７  第２の通信部、４８  操作部、４９  表示部、
５０  液晶ディスプレイ、５２  ボタン、５３  十字ボタン、５４  第１の接続部、
６０  イヤホン、７２ａ  クリップ、７２ｂ  クリップ、
８０  姿勢検出ユニット、８２ａ  第１の検出体、８２ｂ  第２の検出体、８３  コード、
８４  リモコン、
８６ａ  クリップ、８６ｂ  クリップ、８８ａ  コード取付部、８８ｂコード取付部、
９０  姿勢検出ユニット、９２ａ  第１の検出体、９２ｂ  第２の検出体、
９４  リモコン、９６  イヤホンジャック、
１００、ＩＣタグ、１０２  リーダ、１０４ａ  アンテナ、１０４ｂ  アンテナ、
１０６  ＩＣチップ、１０７  第３の通信部、１０８  電波強度検出部、１０９  出力部
【図１】
2010172537.tif 000003
【図２】
2010172537.tif 000004
【図３】
2010172537.tif 000005
【図４】
2010172537.tif 000006
【図５】
2010172537.tif 000007
【図６】
2010172537.tif 000008
【図７】
2010172537.tif 000009
【図８】
2010172537.tif 000010
【図９】
2010172537.tif 000011
【図１０】
2010172537.tif 000012
【図１１】
2010172537.tif 000013